(57)【要約】【課題】本発明は、フールプルーフ機能を備える発光ダイオードランプを提供することである。【解決手段】本発明に係る発光ダイオードランプは、互いに反対側に位置する第一端部及び第二端部を有するランプ本体と、前記第一端部に設置されている第一コネクタ及び第二コネクタと、前記第二端部に設置されている第三コネクタ及び第四コネクタと、を備え、前記第一コネクタと前記第四コネクタは、前記ランプ本体の同じ側に設置され且つ極性が相反し、前記第二コネクタと前記第三コネクタは、前記ランプ本体の同じ側に設置され且つ極性が相反し、前記第一コネクタと前記第三コネクタは、極性が同じであり且つそれぞれフールプルーフ構造が設置される。【選択図】図１
2012044176.tif 000002
【特許請求の範囲】
【請求項１】
互いに反対側に位置する第一端部及び第二端部を有するランプ本体と、
前記第一端部に設置されている第一コネクタ及び第二コネクタと、
前記第二端部に設置されている第三コネクタ及び第四コネクタと、
を備えてなる発光ダイオードランプであって、
前記第一コネクタと前記第四コネクタは、前記ランプ本体の同じ側に設置され且つ極性が相反し、前記第二コネクタと前記第三コネクタは、前記ランプ本体の同じ側に設置され且つ極性が相反し、前記第一コネクタと前記第三コネクタは、極性が同じであり且つそれぞれフールプルーフ構造が設置されることを特徴とする発光ダイオードランプ。
【請求項２】
前記フールプルーフ構造は、前記第一コネクタ及び前記第三コネクタにそれぞれに設置されている突起であることを特徴とする請求項１に記載の発光ダイオードランプ。
【請求項３】
前記ランプ本体は、互いに反対側を向いた第一表面及び第二表面を有する基板と、前記基板の第一表面に設置されている複数の発光ダイオードと、を備え、
前記第一コネクタは、前記基板の第一表面と相反する向きの第一上表面を備え、前記第三コネクタは、前記基板の第一表面と相反する向きの第二上表面を備え、前記突起は、前記第一上表面及び第二上表面にそれぞれに設置されていることを特徴とする請求項２に記載の発光ダイオードランプ。
【請求項４】
前記第一コネクタと前記第四コネクタは、電気的に接続され且つ外部の電源に接続して第一回路を形成し、前記第二コネクタと前記第三コネクタは、電気的に接続され且つ外部の電源に接続して第二回路を形成することを特徴とする請求項１から３の何れか一項に記載の発光ダイオードランプ。
【請求項５】
前記ランプ本体は、中空の円柱状のハウジングと、前記ハウジングの内部に設置され且つ互いに反対側を向いた第一表面及び第二表面を有する基板と、前記基板の第一表面に設置されている複数の発光ダイオードと、を備え、
前記第一コネクタは第一上表面を備え、前記第三コネクタは第二上表面を備え、前記第一上表面及び前記第二上表面は、前記基板の第二表面と同じ側に位置し、前記フールプルーフ構造は、前記第一コネクタの第一上表面及び前記第三コネクタの第二上表面にそれぞれに設置されている突起であることを特徴とする請求項１に記載の発光ダイオードランプ。
【発明の詳細な説明】
【技術分野】
【０００１】
本発明は、ランプに関し、特に発光ダイオードランプに関するものである。
【背景技術】
【０００２】
従来の発光ダイオードランプは、一般的に陽極コネクターと陰極コネクターを介して外部電源に接続される。しかし、陽極コネクター及び陰極コネクターが互いに似ているため、外部電源に誤って接続されやすい。この場合、電気回路が接続されないことを招き、発光ダイオードランプが正常に動作することができない。
【発明の概要】
【発明が解決しようとする課題】
【０００３】
前記課題を解決するために、本発明は、フールプルーフ機能を備える発光ダイオードランプを提供することである。
【課題を解決するための手段】
【０００４】
本発明に係る発光ダイオードランプは、互いに反対側に位置する第一端部及び第二端部を有するランプ本体と、前記第一端部に設置されている第一コネクタ及び第二コネクタと、前記第二端部に設置されている第三コネクタ及び第四コネクタと、を備え、前記第一コネクタと前記第四コネクタは、前記ランプ本体の同じ側に設置され且つ極性が相反し、前記第二コネクタと前記第三コネクタは、前記ランプ本体の同じ側に設置され且つ極性が相反し、前記第一コネクタと前記第三コネクタは、極性が同じであり且つそれぞれフールプルーフ構造が設置される。
【０００５】
本発明に係る発光ダイオードランプは、ランプ本体と、前記ランプ本体の第一端部に設置されている第一コネクタ及び第二コネクタと、前記ランプ本体の第一端部の反対側に位置する第二端部に設置されている第三コネクタ及び第四コネクタと、を備え、前記第一コネクタと前記第三コネクタは、フールプルーフ構造が設置され且つ発光ダイオードランプの中心を対称点にした点対称状に配置され、組立て過程で発光ダイオードランプの極性の正確性を確保する。
【発明の効果】
【０００６】
従来の技術と比べると、本発明に係る発光ダイオードランプにおいて、第一コネクタと第三コネクタは、極性が同じであり且つ全てフールプルーフ構造が設置されているので、組立過程において、フールプルーフ構造を介して各々のコネクタの極性を区別することができる。なお、発光ダイオードランプをランプホルダーに固定する時、極性が同じであるコネクタがランプ本体の異なる側に設置されるので、前記発光ダイオードの向きが反対になっても、電気回路の接続の正確性に影響を与えない。
【図面の簡単な説明】
【０００７】
【図１】本発明の第一実施例に係る発光ダイオードランプの構造を示す図である。
【図２】図１に示した発光ダイオードランプを反転させた状態を示す図である。
【図３】本発明の第二実施例に係る発光ダイオードランプの構造を示す図である。
【図４】図３に示した発光ダイオードランプを反転させた状態を示す図である。
【発明を実施するための形態】
【０００８】
以下、図面を参照して、本発明の実施例について説明する。
【０００９】
図１及び図２を参照すると、本発明の第一実施例に係る発光ダイオードランプ１００は、ランプ本体１０、前記ランプ本体１０に設置されている第一コネクタ１５、第二コネクタ１６、第三コネクタ１７及び第四コネクタ１８を備える。
【００１０】
前記ランプ本体１０は、略板状を呈し、矩形の基板１１と、前記基板１１に設置されている複数の発光ダイオード１２と、放熱器１３と、を備える。前記基板１１は、互いに反対向きの第一表面１１４及び第二表面１１５と、前記第一表面１１４及び前記第二表面１１５の長手方向の両端に位置する第一端部１１６及び第二端部１１７と、を備える。
【００１１】
前記発光ダイオード１２は、前記基板の第一表面１１４に設置されるので、前記第一表面１１４は、前記発光ダイオードランプ１００の光出射面とされる。
【００１２】
前記放熱器１３は、前記基板１１の第二表面１１５に設置され、前記基板１１の長手方向に沿って延在し且つ互いに離間して前記基板１１の短手方向に並設された複数のフィン１３４を備える。複数の前記フィン１３４の高さは、前記基板１１の短手方向の中央部から両側に向かって漸次低くなる。複数の前記フィン１３４の間には、空気対流のためのチャンネルが形成されて、複数の前記発光ダイオード１２が生じた熱量を放熱することができる。
【００１３】
前記第一コネクタ１５と前記第二コネクタ１６は、極性が相反し、前記基板１１の第一端部１１６に設置されている。前記第三コネクタ１７と前記第四コネクタ１８は、極性が相反し、前記基板１１の第二端部１１７に設置されている。前記第一コネクタ１５と前記第三コネクタ１７は、前記基板１１の両端にそれぞれ設置され且つ極性が同じである。前記第二コネクタ１６と前記第四コネクタ１８は、前記基板１１の両端にそれぞれ設置され且つ極性が同じである。本実施例において、前記第一コネクタ１５と前記第四コネクタ１８は、電気的に接続され且つ外部の電源に接続して第一回路を形成し、前記第二コネクタ１６と前記第三コネクタ１７は、電気的に接続され且つ外部の電源に接続して第二回路を形成する。
【００１４】
前記第一コネクタ１５と前記第三コネクタ１７には、フールプルーフ構造が設置されている。本実施例において、前記フールプルーフ構造は、矩形を呈する第一突起１９１及び第二突起１９２である。前記第一コネクタ１５は、前記基板１１の第一表面１１４と相反する方向を向いた第一上表面１５１を備え、前記第一突起１９１は、前記第一コネクタ１５の第一上表面１５１に設置され、前記第三コネクタ１７は、前記基板１１の第一表面１１４と相反する方向を向いた第二上表面１７１を備え、前記第二突起１９２は、前記第三コネクタ１７の第二上表面１７１に設置されている。
【００１５】
本実施例において、フールプルーフ構造を有する前記第一コネクタ１５と前記第三コネクタ１７の極性をあらかじめ設定することによって、組立過程において、各々のコネクタを区別することができる。なお、前記第一コネクタ１５と前記第三コネクタ１７は、前記基板１１の両端において互いに異なる側に設置され且つ前記発光ダイオードランプ１００の中心を対称点にした点対称状に配置されているので、組立過程において、前記発光ダイオード１００が回転して反対向きになっても、発光ダイオードランプ１００と外部電源との電気接続の正確性に影響を与えない。したがって、本発明に係る発光ダイオードランプは、構造が簡単で、組立が便利である。
【００１６】
図３及び図４を参照すると、本発明の第二実施例に係る発光ダイオードランプ２００は、ランプ本体２０、前記ランプ本体２０に設置されている第一コネクタ２５、第二コネクタ２６、第三コネクタ２７及び第四コネクタ２８を備える。
【００１７】
前記ランプ本体２０は、中空の円柱状のハウジング２４と、前記ハウジング２４の内部に設置されている基板２１と、前記基板２１に設置されている複数の発光ダイオード２２と、を備える。
【００１８】
前記ハウジング２４は、互いに反対側に位置する第一端部２４１及び第二端部２４２を備える。本実施例において、前記ハウジング２４は、光透過性の材料からなる。
【００１９】
前記基板２１は、互いに反対側を向いた第一表面２１４及び第二表面２１５を備える。複数の前記発光ダイオード２２は、前記基板２１の第一表面２１４に均一に設置されるので、前記基板２１の第一表面２１４は、前記発光ダイオードランプ１００の光出射面とされる。前記複数の発光ダイオード２２から出射した光線は、前記ハウジング２４を通過して外部に出射される。
【００２０】
前記第一コネクタ２５と前記第二コネクタ２６は、極性が相反し、前記ハウジング２４の第一端部２４１に設置されている。前記第三コネクタ２７と前記第四コネクタ２８は、極性が相反し、前記ハウジング２４の第二端部２４２に設置されている。前記第一コネクタ２５と前記第三コネクタ２７は、前記ハウジング２４の両端にそれぞれ設置され且つ極性が同じである。前記第二コネクタ２６と前記第四コネクタ２８は、前記ハウジング２４の両端にそれぞれ設置され且つ極性が同じである。本実施例において、前記第一コネクタ２５と前記第四コネクタ２８は、互いに電気的に接続され且つ外部の電源と接続して第一回路を形成し、前記第二コネクタ２６と前記第三コネクタ２７は、互いに電気的に接続され且つ外部の電源と接続して第二回路を形成する。
【００２１】
前記第一コネクタ２５は、第一上表面２５１を備え、前記第三コネクタ２７は、第二上表面２７１を備える。前記第一コネクタ２５の第一上表面２５１及び前記第三コネクタ２７の第二上表面２７１は、前記基板２１の第二表面２１５と同じ側に位置する。前記第一コネクタ２５と前記第三コネクタ２７には、フールプルーフ構造が設置されている。本実施例において、前記フールプルーフ構造は、矩形を呈する第一突起２９１及び第二突起２９２である。前記第一突起２９１は、前記第一コネクタ２５の第一上表面２５１に設置され、前記第二突起２９２は、前記第三コネクタ２７の第二上表面２７１に設置されている。
【００２２】
本実施例において、フールプルーフ構造を有する前記第一コネクタ２５及び前記第三コネクタ２７の極性をあらかじめ設定することによって、組立過程において、各々のコネクタを区別することができる。なお、前記第一コネクタ２５と前記第三コネクタ２７は、前記ハウジング２４の両端において互いに異なる側に設置されるので、組立過程において、前記発光ダイオード２００が回転して反対向きになっても、発光ダイオードランプ２００と外部電源との電気接続の正確性に影響を与えない。なお、前記発光ダイオードランプ２００には、フールプルーフ構造が設置されているので、発光ダイオードランプ２００が円柱状を呈しても、前記発光ダイオードランプ２００の光出射面を判断することができる。したがって、本発明に係る発光ダイオードランプ２００は、構造が簡単であり、組立が便利である。
【符号の説明】
【００２３】
１００、２００  発光ダイオードランプ
１０、２０  ランプ本体
１１、２１  基板
１２、２２  発光ダイオード
１３  放熱器
２４  ハウジング
１５、２５  第一コネクタ
１６、２６  第二コネクタ
１７、２７  第三コネクタ
１８、２８  第四コネクタ
１１４、２１４  第一表面
１１５、２１５  第二表面
１１６、２４１  第一端部
１１７、２４２  第二端部
１３４  フィン
１９１、２９１  第一突起
１９２、２９２  第二突起
【図１】
2012044176.tif 000003
【図２】
2012044176.tif 000004
【図３】
2012044176.tif 000005
【図４】
2012044176.tif 000006